(57)【特許請求の範囲】
【請求項１】
被計量物の重量を計量する電子秤と、
取扱者の識別情報を入力する入力手段と、
前記被計量物の計量値を表示する表示手段と、
被計量物を取扱った日時を計時する計時手段と、
前記被計量物を保管する保管庫の１以上の鍵を収容するキーボックスと、
収納された前記鍵が取り出された場合に、それを検出するキー検出器と、
前記キーボックスを施錠すると共に、所定の操作で開錠される電子錠とを備え、
前記キー検出器からの出力により前記鍵に対応する保管庫のロケーションを確認ないし判別できるようにすると共に、
該ロケーションの被計量物を指定して計量すると、当該取扱者、取り扱った日時、ならびに、被計量物の品名および計量値に関する情報を記録できるようにした保管管理装置。
【請求項２】
請求項１において、
指定した被計量物が保管されているロケーションと、前記キー検出器からの出力により判別されたロケーションとが対応していない場合は、前記表示手段に当該事態が表示されるようにした保管管理装置。
【請求項３】
請求項１において、
前記キー検出器からの出力により全ての鍵が前記キーボックスに返却されていない状態で、前記電子錠を施錠しようとすると、前記表示手段に当該事態が表示されるようにした保管管理装置。
【請求項４】
被計量物の重量を計量する電子秤と、
取扱者の識別情報を入力する入力手段と、
前記被計量物の計量値を表示する表示手段と、
被計量物を取扱った日時を計時する計時手段と、
前記被計量物を保管する保管庫の１以上の鍵を収容するキーボックスと、
前記鍵により開錠ないし施錠される保管庫の開閉状態を検出する開閉検出器と、
前記キーボックスを施錠すると共に、所定の操作で開錠される電子錠とを備え、
前記開閉検出器からの出力により開錠されたとみなされる保管庫のロケーションを確認ないし判別できるようにすると共に、
該ロケーションの被計量物を指定して計量すると、当該取扱者、取り扱った日時、ならびに、被計量物の品名および計量値に関する情報を記録できるようにした保管管理装置。
【請求項５】
請求項４において、
前記開閉検出器からの出力により前記保管庫の全てのロケーションが施錠されていない状態で、前記電子錠を施錠しようとすると、前記表示手段に当該事態が表示されるようにした保管管理装置。
【請求項６】
請求項１もしくは４において、
入力された識別情報が登録されたものである場合は、前記電子錠が開錠されるようにした保管管理装置。
【請求項７】
請求項１もしくは４において、
前記被計量物と前記検出器とを、前記保管庫のロケーションを介して互いに関連付けて記憶する記憶部を設けた保管管理装置。
【請求項８】
請求項１ないし７のいずれか１項において、
取扱う被計量物の品名および入出庫の態様を設定するための操作手段を備え、
前記入力手段から取扱者の識別情報を入力すると共に前記操作手段から品名を設定すると、前記電子錠を開錠する開錠信号が電子錠に出力され、
被計量物を電子秤に載せて計量し入出庫の態様を設定すると、当該取扱者、取り扱った日時、入出庫の態様、ならびに、被計量物の品名および計量値に関する情報を記録できるようにした保管管理装置。
【発明の詳細な説明】
【０００１】
【発明の属する技術分野】
本発明は、学校や病院などにおいて薬品などの管理を行う保管管理装置に関するものである。
【０００２】
【従来の技術】
近年、有用な薬品を毒物として悪用する事件が多発している。かかる悪用を防止するには、誰が、何時、何を、どれだけ使用したかを管理する必要がある。その方法としては、たとえば、多数のロケーションを有する保管庫を設けると共に、ロケーションごとに重量検出器を設けた自動管理システム（特開平 5-51104号公報）を採用することが考えられる。
【０００３】
【発明が解決しようとする課題】
しかし、かかる従来のシステムでは、各ロケーションごとに重量検出器が必要となるから、コストが高くなる。
また、前記従来のシステムでは、システムの導入時に保管庫自体を新たに購入する必要もあり、更なるコストアップを招く。
また、本来の研究等の妨げとならぬように、簡便に利用し得るシステムとする必要がある。
したがって、本発明は、薬品等の安全管理ができる保管管理装置において安価で簡便なシステムを提供することにある。
【０００４】
【課題を解決するための手段】
前記目的を達成するために、本第１発明の保管管理装置は、まず、被計量物の重量を計量する電子秤と、取扱者の識別情報を入力する入力手段と、前記被計量物の計量値を表示する表示手段と、被計量物を取扱った日時を計時する計時手段と、前記被計量物を保管する保管庫の１以上の鍵を収容するキーボックスと、収納された前記鍵が取り出された場合に、それを検出するキー検出器と、前記キーボックスを施錠すると共に、所定の操作で開錠される電子錠とを備えている。
今、前記入力手段から取扱者の識別情報を入力し、それが登録されたものである場合には、まず、キーボックスの電子錠が開錠される。
ついで、取扱者は、取り扱う被計量物に対応する保管庫のロケーションの鍵を前記キーボックスから取り出す。この際、使用される鍵をキー検出器が検出する。その後、取扱者は前記鍵で保管庫を開錠し所定の被計量物を取り出し、電子秤に当該被計量物を指定するなどの操作を行う。
ＣＰＵは、前記指定された被計量物の情報と、キー検出器の出力により得られたロケーション情報とから、キーと被計量物の保管庫のロケーションとが対応しているかどうかを判別し、対応していれば、当該取扱者、取り扱った日時、ならびに、被計量物の品名および計量値に関する情報が記録される。
したがって、誰が、何時、何を、どれだけ使用したかを管理することができる。
【０００５】
一方、本第２発明の保管管理装置は、まず、被計量物の重量を計量する電子秤と、取扱者の識別情報を入力する入力手段と、前記被計量物の計量値を表示する表示手段と、被計量物を取扱った日時を計時する計時手段と、前記被計量物を保管する保管庫の１以上の鍵を収容するキーボックスと、前記鍵により開錠ないし施錠される保管庫の開閉状態を検出する開閉検出器と、前記キーボックスを施錠すると共に、所定の操作で開錠される電子錠とを備えている。
今、前記入力手段から取扱者の識別情報を入力し、それが登録されたものである場合には、まず、キーボックスの電子錠が開錠される。
ついで、取扱者は、取り扱う被計量物に対応する保管庫のロケーションの鍵を前記キーボックスから取り出し、当該鍵で保管庫の所定のロケーションを開錠して、所定の被計量物を取り出す。この際、開錠されたロケーションを開閉検出器が検出する。
ＣＰＵは、前記指定された被計量物の情報と開閉検出器の出力により得られたロケーション情報とから、被計量物の登録されたロケーションと開錠される保管庫のロケーションとが、対応しているかどうかを判別し、対応していれば第１発明と同様に、当該取扱者などの情報が記録される。
【０００６】
本発明において、「被計量物」としては、一般に、実験室や病院などで用いられる薬品が対象となる。
「識別情報を入力する入力手段」としては、一般に、ＩＤカードリーダおよび暗証番号の入力装置が用いられるが、双方のいずれか一方としてもよい。
「表示手段」は、操作手段と一体となったタッチスクリーンを用いるのが好ましいが、操作手段と別体としてもよい。
「情報を記録」とは、当該情報をメモリカードやフロッピーディスクのような記憶媒体に記憶させることの他に、メモリに記憶させたり、あるいは、メモリに記憶させた直後に通信手段を介して出力してもよいことを意味する。
「関する情報」とは、たとえば品名を品番やロケーションなどの他の情報で記録してもよいことを意味する。
【０００７】
【発明の実施の形態】
以下、本第１発明の一実施形態を図１〜図７にしたがって説明する。
本システムは、図１の保管庫Ｓ内に収容された薬品を図２の保管管理装置１で管理するものである。
保管管理装置１は、電子秤２、カードリーダ（入力手段）３、タッチスクリーン（表示手段、操作手段）４、ストロークキー部（操作手段）５およびキーボックス３０がインターフェース（図示せず）を介して、マイコン１０（図１）に接続されている。
【０００８】
電子秤２は対象物（被計量物）Ａの重量を計量するためのものである。対象物Ａは、一般に、瓶（風袋）Ｂおよび当該瓶Ｂ内に収容された薬品Ｍである。
カードリーダ３は、取扱者の識別番号をＩＤカード（図示せず）から読み取るものである。
【０００９】
タッチスクリーン４は、たとえば液晶表示器を有しており、図３〜図６に示すように、品名および計量値（重量）の他に種々のメッセージを表示すると共に、図３（ｂ）の操作キー４ａ〜４ｅを構成する。すなわち、タッチスクリーン４は、本発明の表示手段を構成すると共に、品名および入出庫の態様を設定するための操作手段を構成する。
ここで、「品名を設定する」とは、電子秤に対し被計量物の情報を呼び出したり、登録したりすることを意味する。「品名の設定」方法としては、予め登録された品名自体を直接キー入力してもよいが呼出No. や品番または保管するロケーションNo. を入力してもよい。
「入出庫の態様」には、大きく分けて、被計量物を保管庫から取り出す場合と、被計量物を保管庫に入れる場合との２種類がある。
【００１０】
前記入出庫の態様を設定する態様設定キーとしては、図３（ｂ）に示す「出庫」キー４ａ、「入庫」キー４ｂ、「持出」キー４ｃおよび「返却」キー４ｄの４つのキーが設けてある。
「出庫」キー４ａは、対象物Ａを保管庫Ｓから取り出す際に、当該対象物Ａを保管庫Ｓに再び戻さない場合（以下、この態様を「出庫」という。）に操作するキーである。
「持出」キー４ｃは、対象物Ａを保管庫Ｓから取り出して使用しても、当該対象物Ａを保管庫Ｓに再び戻すことを前提とする場合（以下、この態様を「持出」という。）に操作するキーである。
「入庫」キー４ｂは、対象物Ａを保管庫Ｓに入れる際に、当該対象物Ａを初めて保管庫Ｓに入れる場合（以下、この態様を「入庫」という。）に操作するキーである。
「返却」キー４ｄは、持ち出し中の対象物Ａを保管庫Ｓに入れる際（以下、この態様を「返却」という。）に操作するキーである。
なお、これらの態様設定キー４ａ〜４ｄにタッチすると、ＣＰＵ１１は計時手段１２から現在の日時を読み出す。
【００１１】
図１のマイコン１０のＣＰＵ１１には、前記計時手段１２が設けてある。該計時手段１２は、対象物Ａを取り扱った日時を計時する。マイコン１０のＲＡＭ１３には、種々の登録情報が記憶されている。登録情報としては、たとえば、図３（ａ）の暗証番号や取扱者名、図４（ａ）の呼出No. や薬品名などがあり、ＲＡＭ１３には、図１（ｂ）に示すように、呼出No. 、品名ごとに、後述するロケーションおよび補充発注重量などが互いに関連付けて記憶されている。また、前記ＲＡＭ１３には、各品名ごとの実際の在庫量を更新記憶させる記憶部が設けてある。
【００１２】
前記マイコン１０の基板には、メモリカード（記憶媒体）２０を接続するためのコネクタ（装着部）１５が設けてある。前記メモリカード２０には、入出庫履歴（図７）を記憶するための履歴記憶部２１が設けてある。
【００１３】
前記履歴記憶部２１には、図７に示すように、対象物Ａを取り扱った「日付」、「時刻」の他に、対象物Ａの「呼出コード」、「品番」、「重量」（計量値，入力値）、「在庫量」、保管庫Ｓの「ロケーション」、「取扱者No. 」（取扱者の識別番号）および「区分」（入出庫の態様）が記録（記憶）される。
【００１４】
これらの履歴情報は、ＣＳＶ形式で記憶される。
すなわち、前記履歴情報は、各情報の項目間をカンマで区切ると共に、所定のレコード（所定の情報）を改行コードで区切ってテキスト形式で記録（記憶）されている。前記履歴情報は、１回の入出庫態様、取扱者および品名ごとに改行されて記録されている。
また、前記履歴情報は、１日単位のファイルに記憶される。すなわち、ＣＰＵ１１は計時手段１２から読み出した日付が変更されるごとに自動的に新しいファイルを図１の履歴記憶部２１に作成し、当該ファイルに履歴情報を書き込む。
【００１５】
前記マイコン１０には、出力ポート１６を介して、キーボックス３０の電子錠３１が接続されている。電子錠３１は、キーボックス３０を施錠すると共に、所定の操作で開錠される。すなわち、前記カードリーダ３で読み取った識別情報ならびに暗証番号が、予め登録された識別情報で、かつ、取り扱う対象物Ａの品名をタッチスクリーン４によって指定して設定すると、ＣＰＵ１１は電子錠３１を開錠させるための開錠信号を出力ポート１６を介して電子錠３１に出力する。
一方、図４（ｂ）の「終了」キー４ｅにタッチすると、図１の前記開錠されていた電子錠３１を施錠させる施錠信号をＣＰＵ１１が出力ポート１６を介して電子錠３１に出力する。
【００１６】
前記保管庫Ｓには、たとえば複数のロケーション０１〜０６が設けてあり、各ロケーションごとに手動式の錠Ｓｉが設けてある。一方、図２（ｂ）のキーボックス３０には、前記錠Ｓｉに対応する鍵Ｋｉが収容されている。図２（ｃ）に示すように、前記キーボックス３０には、鍵Ｋｉが使用された場合に、それ（鍵Ｋｉが所定の位置に存在しないこと）を検出するキー検出器８ｉが設けられている。図１（ａ）の各キー検出器８ｉは入力ポート１７を介してマイコン１０に接続されており、各キー検出器８ｉの検出結果（キー使用信号）がマイコン１０に入力される。各キー検出器８ｉのNo. と、対象物Ａの品名とは、図１（ｂ）の保管庫ＳのロケーションNo. を介して、互いに関連付けてＲＡＭ１３に記憶されている。なお、キー検出器８ｉとしては、図２（ｃ）の内壁３３に形成した小孔３４から鍵Ｋｉを検出する反射型の光電スイッチなどを用いることができる。
【００１７】
前記キー検出器８ｉからキー使用信号が入力されると、前記ＣＰＵ１１は以下に説明するロケーション判別動作を行う。すなわち、ＣＰＵ１１は、キー検出器８ｉからの出力により、使用されたとみなされる鍵ＫｉのNo. を判別する。また、ＣＰＵ１１は、前記指定された薬品名に対応するロケーション０１〜０６をＲＡＭ１３から読み出し、当該ロケーションｉとキー検出器８ｉとのNo. とが対応しているか否かを判別する。これにより、取り扱った薬品名の確認を行うことができると共に、前記指定した薬品が保管されているロケーションｉと前記キー検出器８ｉからの出力により判別されるロケーションｉとが一致しないか、あるいは、対応していない場合は、当該事態を図６（ａ）の第１警告画面の子ウィンドウ４ｓに表示させる。また、この場合には、設定した品名および使用した（取り出した）鍵Ｋｉの双方を記憶（記録）させることで、防犯を図ることができる。
【００１８】
つぎに、本システムの運用について説明する。
まず、取扱者が、ＩＤカードを図１のカードリーダ３に通して読み取らせると、ＲＡＭ１３から取扱者が読み出され、図３（ａ）の取扱者確認画面がタッチスクリーン４に表示される。その後、所定の暗証番号が入力され、登録が確認されると、図３（ｂ）の品名呼出画面がタッチスクリーン４に表示される。この画面において、所定のキーにタッチすると、図４（ａ）の品名選択画面が子ウインドウ４ｓに表示される。この画面において、所定の品名（薬品名称）を選択して呼出No. にタッチすることにより、品名の設定がなされる。
【００１９】
前記品名設定操作により、図４（ｂ）の計量画面がタッチスクリーン４に表示される。同時に、図１のＣＰＵ１１はＲＡＭ１３から当該品名「塩化ナトリウム」に対応した図１（ｂ）のロケーションNo. 「01」を読み出し、図４（ｂ）の画面にロケーションNo. 「01」を表示させると共に、図１の出力ポート１６を介して電子錠３１に開錠信号を出力する。これにより、電子錠３１が開錠する。この開錠後、取扱者は、前記品名に対応する保管庫Ｓのロケーションｉの鍵Ｋｉを取り出す。鍵Ｋｉを取り出すと、キー検出器８ｉがこれを検出し、その検出信号をＣＰＵ１１に出力する。ＣＰＵ１１は鍵ＫｉのロケーションNo. と、品名に対応した保管庫ＳのロケーションNo. とを照合して前記ロケーション判別動作を行う。
【００２０】
ここで、本実施形態では、品名に対応したロケーションNo. を品名と共にタッチスクリーン４に表示するので、取扱者はロケーションを覚える必要はない。また、鍵Ｋｉのロケーションを間違えた場合は、図６（ａ）のように当該事態を表示して警告するので、取り扱う対象物Ａを誤るおそれもない。
以上の品名設定操作およびロケーション判別動作は入出庫の態様にかかわらず同じである。
【００２１】
「入庫」を行う際には、当該対象物Ａが新品である場合、前記品名設定操作後、図２の当該瓶ＢのラベルＬに表示されている重量をストロークキー部５を用いて置数することで、正味重量を入力する。入力された正味重量は、図５（ａ）の入出庫態様選択画面のように重量として表示される。この後、図５（ａ）の「入庫」キー４ｂにタッチすると、ＣＰＵ１１は計時手段１２から現在日時を読み出すと共に、ＣＰＵ１１は過去の在庫重量をＲＡＭ１３から読み出して、当該在庫重量に前記置数した値を加算して新たな在庫重量を算出する。この演算後、ＣＰＵ１１はＲＡＭ１３内の在庫量の情報を更新記憶させる。この後、ＣＰＵ１１は、図７に示す日付，時刻，呼出コード，品番（品名に関する情報），重量，単位，在庫量，単位，ロケーション，取扱者，区分（入出庫の態様：この場合「入庫」）および改行コードの情報をメモリカード２０の履歴記憶部２１にＣＳＶ形式で記憶させる。たとえば、図７の１行目の情報の場合、 1998/10/7,9:56:19,2,NaCl,500,g,2800,g,01,100,入庫，改行コードの情報が記憶される。
なお、「入庫」を行う際に、正味重量が分からない場合は、対象物Ａを計量した後、周知の風袋引きを行って入庫する。
【００２２】
取扱者は前記「入庫」キー４ｂにタッチした後、当該対象物Ａを図１（ａ）の保管庫Ｓのロケーションｉに入れた後、当該保管庫Ｓのロケーションｉを鍵Ｋｉにより施錠する。この施錠後、キーボックス３０の所定のロケーションｉに鍵Ｋｉを返却する。キー検出器８ｉは、当該鍵Ｋｉを検出して、キー検出信号をＣＰＵ１１に出力する。この後、図５（ａ）の「終了」キー４ｅにタッチする。
【００２３】
ここで、前記「終了」キー４ｅにタッチした際には、以下に説明するＣＰＵ１１が鍵Ｋｉの返却確認動作を行う。
まず、図１のＣＰＵ１１は全てのキー検出器８1 〜８n からの信号を取り込む。全てのキー検出器８1 〜８n が鍵Ｋｉを検出している場合は、ＣＰＵ１１が電子錠３１に施錠信号を出力し、開錠されている電子錠３１が施錠される。一方、キー検出器８1 〜８n のうち１以上のキー検出器８ｉが鍵Ｋｉを検出していない場合は、ＣＰＵ１１が図６（ｂ）の画面に、当該事態を表示して警告すると共に、電子錠３１に施錠信号を出力しない。なお、鍵Ｋｉを返却して、「確認」キーにタッチすると、電子錠３１が施錠される。
以上の返却確認動作は全ての入出庫態様において同様に行われる。
【００２４】
「持出」を行う際には、前記品名設定操作後、図１の開錠されたキーボックス３０から、当該品名に対応した鍵Ｋｉを取り出し、該鍵Ｋｉにより保管庫Ｓのロケーションの錠Ｓｉを開錠し、図２の対象物Ａを取り出す。この取出後、取扱者は当該対象物Ａを電子秤２の上に載せる。つまり、薬品Ｍを瓶Ｂごと電子秤２の上に載せる。これにより、電子秤２で計量された計量値（持出時の計量値）がＣＰＵ１１により図５（ａ）のように重量として表示される。その後、図５（ａ）の「持出」キー４ｃにタッチすると、ＣＰＵ１１は計時手段１２から現在日時を読み出すと共に、図７に示す、日付，時刻，呼出コード，品番（品名に関する情報），重量，単位，在庫量，単位，ロケーション，取扱者，区分（入出庫の態様：この場合「持出」）および改行コードの情報をメモリカード２０の履歴記憶部２１にＣＳＶ形式で記憶させる。
【００２５】
なお、「持出」の場合、在庫量の演算はなされず、また、メモリカード２０には「在庫量」としてブランクの情報、つまり、「，」と「，」とが隣接した状態で情報が記憶される。たとえば、図７の４行目の情報の場合 1998/10/7,11:56:55,1,NaCl,300,g,,g,01,1234,持出, 改行コードが記憶される。
前記図５（ａ）の「持出」キー４ｃにタッチした後、鍵Ｋｉを返却し、更に、「終了」キー４ｅにタッチすると、ＣＰＵ１１は前述の「入庫」の場合と同様に、電子錠３１に施錠を行わせる。
【００２６】
「返却」を行う際には、前記品名設定操作後、図１の開錠されたキーボックス３０から、当該品名に対応した鍵Ｋｉを取り出す。該鍵Ｋｉにより保管庫Ｓの所定のロケーションの錠Ｓｉを開錠する。一方、返却すべき対象物Ａを電子秤２の上に瓶Ｂごと載せる。これにより、電子秤２で計量された計量値（返却時の計量値）がＣＰＵ１１により図５（ａ）のように重量として表示される。この後、図５（ａ）の「返却」キー４ｄにタッチすると、ＣＰＵ１１は計時手段１２から現在日時を読み出すと共に、下記の(1) 式で表される在庫量の計算を行う。
在庫量=(最新の在庫量）−((持出時の計量値）−（返却時の計量値))…(1)
前記演算後、ＣＰＵ１１はＲＡＭ１３内の在庫量の情報を更新記憶させると共に、図７に示す日付から区分までの情報をメモリカード２０の履歴記憶部２１にＣＶＳ形式で記憶させる。
【００２７】
ここで、持出時および返却時の計量値には、それぞれ、風袋重量（瓶Ｂの重量）が含まれているが、前記(1) 式では風袋重量が何グラムであるかを知る必要がない。したがって、取扱者は風袋重量を全く意識する必要がなく、つまり、瓶Ｂから薬品を取り出して計量する必要がなく、したがって、至便である。
【００２８】
前記計量後、取扱者が当該対象物Ａを開錠されている保管庫Ｓのロケーションに入れ、この後、鍵Ｋｉを返却し、更に、図５（ａ）の「終了」キー４ｅにタッチすると、ＣＰＵ１１は前述の「入庫」の場合と同様に電子錠３１に施錠を行わせる。
【００２９】
「出庫」を行う際には、前記品名設定操作後、図１の開錠されたキーボックス３０から当該品名に対応した鍵Ｋｉを取り出し、該鍵Ｋｉにより保管庫Ｓの所定のロケーションの錠Ｓｉを開錠して対象物Ａを取り出す。この取出後、新品（未使用）の対象物ＡのラベルＬなどに記載されている正味重量をテンキー（ストロークキー部５）で置数して入力する。この後、「出庫」キー４ａにタッチすると、ＣＰＵ１１は計時手段１２から現在日時を読み出すと共に、下記の(2) 式で表される在庫量の演算を行う。
在庫量＝（最新の在庫量）−（出庫時の計量値）        …(2)
前記演算後、ＣＰＵ１１はＲＡＭ１３内の在庫量の情報を更新記憶させると共に、図７に示す日付から区分までの情報をメモリカード２０の履歴記憶部２１にＣＶＳ形式で記憶させる。前記置数操作後、鍵Ｋｉを返却し、更に、「終了」キー４ｅにタッチすると、ＣＰＵ１１が電子錠３１に施錠信号を出力して、開錠されていた電子錠３１が施錠される。
【００３０】
なお、「出庫」を行う際に、正味重量が分からない場合は、対象物Ａを計量した後、周知の風袋引きを行って出庫する。
また、風袋引きを行うのが面倒な場合は、一度「持出」として取り出して使用した後、空瓶Ｂのみを「返却」してもよい。
【００３１】
以上のようにして、メモリカード２０の履歴記憶部２１には、入出庫の履歴が記録される。メモリカード２０に記録された履歴は、メモリカード２０をパソコン（電子計算機）などに読み取らせることで、図７のような状態に表示したり、あるいは、印字したりすることができる。また、市販の表計算ソフトにより取扱者ごとの集計を算出することもできる。したがって、誰が、何時、何を、何グラム持ち出した（使用した）かを、１台の電子秤で容易に管理することができる。
【００３２】
なお、本実施形態においては、図１（ｂ）のように、品名ごとの在庫量の下限値である補充発注重量ＷL をＲＡＭ１３に記憶している。ＣＰＵ１１は算出した現在の在庫量Ｗと前記補充発注重量ＷL とを比較し、Ｗ＜ＷL となったときに、図５（ｂ）のように、在庫量が残り少なくなったことを子ウインドウ４ｓに表示させる。
【００３３】
ところで、前記実施形態では、キー検出器８ｉが鍵Ｋｉを直接検出したが、キー検出器８ｉは、鍵Ｋｉを間接的に検出してもよい。たとえば、鍵Ｋｉを引っ掛けるフックを可動式とし、鍵Ｋｉをフックに引っ掛けた際にフックの動きを検出することで、間接的に鍵Ｋｉを検出してもよい。また、鍵ＫｉにＩＤタグなどを付して収容されている鍵Ｋｉの種別を検出して、所定の鍵Ｋｉが存在するか、あるいは、使用されているかを判別するようにしてもよい。
【００３４】
つぎに、本第２発明の一実施形態を図８〜図１０にしたがって説明する。
本第２実施形態は、前記図１〜図７の第１実施形態と近似した構成を有しており、したがって、以下の説明では第１実施形態との相違点を主に説明する。
【００３５】
まず、本第２実施形態では、図８〜図１０に示すように、キー検出器８ｉに代えて、開閉検出器９ｉを備えている。該開閉検出器９ｉは、鍵Ｋｉにより開錠または施錠される保管庫Ｓの各ロケーションの開閉状態を検出するものである。すなわち、前記開閉検出器９ｉは、図１０のように、保管庫Ｓの錠Ｓｉのフック１００が実線のように回転してロックしているときに、該フック１００を検出することで、開閉状態を検出し、その検出信号をＣＰＵ１１に出力する。
【００３６】
ＣＰＵ１１は、該開閉検出器９ｉから検出信号を前記第１実施形態のキー検出器８ｉからの検出信号と同様に扱い、前記開閉検出器９ｉからの出力により保管庫Ｓの各ロケーションｉが開錠されているか否かを判別ないし確認する。また、保管庫Ｓの１以上のロケーション０１〜０６が施錠されていない状態で、電子錠３１を施錠しようとすると、これをＣＰＵ１１が開閉検出器９ｉからの出力により検出してタッチスクリーン４に当該事態を表示する。したがって、取扱者は鍵Ｋｉで保管庫Ｓの錠Ｓｉを施錠した後に、「終了」キー４ｅにタッチする必要がある。
【００３７】
なお、本第２実施形態のその他の構成および運用は前記第１実施形態と同様であり、同一部分もしくは相当部分に同一符号を付して、その詳しい図示および説明を省略する。
【００３８】
なお、前記実施形態では、保管庫に複数個のロケーションを設けたが、ロケーションは１つであってもよい。また、本発明は図５（ａ）のキー４ａ〜４ｅの名称（表示）を限定するものではない。また、「持出」や「返却」の態様を必ずしも設ける必要はない。また、図１の保管管理装置自体にプリンタを設けてもよい。また、品名に対応したロケーションは、各品名ごとに詳細な内容を対応させて別途表示させてもよい。さらに、品名の設定をバーコードリーダなどで行ってもよい。また、特定の品名については、予め設定された特定のＩＤカードを持つ取扱者のみが設定できるようにしてもよい。
【００３９】
【発明の効果】
以上説明したように、本発明によれば、識別情報を入力し被計量物を指定してキーボックスの電子錠を開錠させ、キーボックスから鍵を取り出して保管庫を開錠した後、被計量物を電子秤に載せて計量すると、取扱者、日時、品名、計量値などが記録されるようにしたから、誰が、何時、何を、何グラム出し入れしたかを管理することができる。
また、１台の電子秤で前記管理を行うことができるから、前記管理を安価かつ簡便な装置で行うことができる。
特に、本発明では、保管庫の鍵を収容して保管するキーボックスを設けたから、既存の保管庫をそのまま使用することができる。したがって、より一層のコストダウンを図ることができる。
【００４０】
また、指定した被計量物が保管されているロケーションと検出器が検出したロケーションとが対応していない場合に、表示手段に当該事態を表示すれば、取り扱う被計量物の種類を誤るおそれもない。
【００４１】
また、保管庫の１以上のロケーションの鍵が返却されていなかったり、あるいは、１以上のロケーションが施錠されていない場合に、当該事態を表示器に表示するようにすれば、より厳重な管理を行うことができる。
【図面の簡単な説明】
【図１】本発明の第１実施形態を示す保管管理システムの概略構成図および登録情報の一部を示す概念図である。
【図２】保管管理装置の概略斜視図、ならびに、キーボックスの正面断面図および縦断面図である。
【図３】表示画面を示す正面図である。
【図４】他の表示画面を示す正面図である。
【図５】更に他の表示画面を示す正面図である。
【図６】警告画面を示す正面図である。
【図７】メモリカードの記憶内容を電算機で出力した状態を示す図である。
【図８】本発明の第２実施形態を示す保管管理システムの概略構成図および登録情報の一部を示す概念図である。
【図９】保管管理装置の概略斜視図およびキーボックスの正面断面図である。
【図１０】錠および開閉検出器を示す正面図である。
【符号の説明】
１：保管管理装置
２：電子秤
３：カードリーダ（入力手段）
４：タッチスクリーン（表示手段，操作手段）
５：ストロークキー部（操作手段）
８ｉ：キー検出器
９ｉ：開閉検出器
１２：計時手段
１３：ＲＡＭ（記憶部）
３０：キーボックス
３１：電子錠
Ｓ：保管庫
【図１】
0004067675.tif 000002
【図２】
0004067675.tif 000003
【図３】
0004067675.tif 000004
【図４】
0004067675.tif 000005
【図５】
0004067675.tif 000006
【図６】
0004067675.tif 000007
【図７】
0004067675.tif 000008
【図８】
0004067675.tif 000009
【図９】
0004067675.tif 000010
【図１０】
0004067675.tif 000011